(57)【要約】【課題】  カラオケ映像、カラオケ音声に基づく録画を行うカラオケ用録画装置において、多様な出力先への対応を即時に行う。【解決手段】  本発明のカラオケ録画装置は、カラオケ映像、合成用映像、カメラ映像の少なくとも１つと、カラオケ音声に基づいて、楽曲毎に所定フォーマットの録画ファイルを作成して録画ファイル記憶手段（４０４）に記憶させる録画処理と、録画処理での録画ファイル作成直後、出力先に対応した複数のフォーマットにて当該録画ファイルを変換して録画ファイル記憶手段（４０４）に記憶させる変換処理と、利用者に対して複数の出力先を提示して出力先の指定を受け付け、指定された出力先に対応したフォーマットの録画ファイルを出力する出力処理を行うことを特徴としている。【選択図】      図８
2010002729.tif 000002
【特許請求の範囲】
【請求項１】
合成用映像記憶手段と、制御手段と、録画ファイル記憶手段とを備え、カラオケ映像とカラオケ音声を出力するカラオケ演奏装置と、カメラ映像を出力するカメラが接続されるカラオケ録画装置であって、
合成用映像記憶手段は、合成用映像を記憶し、
制御手段は、録画処理と、変換処理と、出力処理を可能とし、
録画処理は、カラオケ映像、合成用映像、カメラ映像の少なくとも１つと、カラオケ音声に基づいて、楽曲毎に所定フォーマットの録画ファイルを作成して録画ファイル記憶手段に記憶させ、
変換処理は、録画処理での録画ファイル作成直後、出力先に対応した複数のフォーマットにて当該録画ファイルを変換して録画ファイル記憶手段に記憶させ、
出力処理は、利用者に対して複数の出力先を提示して出力先の指定を受け付け、指定された出力先に対応したフォーマットの録画ファイルを出力する
カラオケ録画装置。
【請求項２】
出力先の１つは、記録媒体である
請求項１に記載のカラオケ録画装置。
【請求項３】
出力先の１つは、携帯情報端末であり、
変換処理は、携帯情報端末のキャリア会社または機種に応じたフォーマットへの変換を行う
請求項１または請求項２に記載のカラオケ録画装置。
【請求項４】
出力先の１つは、動画投稿サイトであり、
変換処理は、動画投稿サイトに応じたファーマットへの変換を行う
請求項１乃至請求項３のいずれか１つに記載のカラオケ録画装置。
【請求項５】
出力先は、複数種類の携帯情報端末であり、
変換処理は、各携帯情報端末のキャリア会社または機種に応じたフォーマットへの変換を行う
請求項３に記載のカラオケ録画装置。
【請求項６】
出力先は、複数の動画投稿サイトであり、
変換処理は、各動画投稿サイトに応じたフォーマットへの変換を行う
請求項４に記載のカラオケ録画装置。
【発明の詳細な説明】
【技術分野】
【０００１】
本発明は、利用者の指示にしたがって演奏を行うカラオケ演奏装置に接続、あるいは、カラオケ装置と一体に形成され、当該カラオケ演奏装置が出力する音声信号、映像信号、あるいは、カメラからの映像信号などを取得し、それらに基づいて録画を行うカラオケ録画装置に関する。
【背景技術】
【０００２】
従来、カラオケボックスや飲食店等において、演奏に合わせて歌唱を楽しむカラオケ装置では、自宅での練習、あるいは他人に聞かせることを目的として歌唱した楽曲を録音して持ち帰るサービスが提供されている。また、音声のみならず歌唱している様子をビデオカメラにより録画して持ち帰るサービスもみられる。
【０００３】
一方、レコード会社や芸能事務所は、会場を設けてオーディションを開催する人材発掘の他に、募集をかけて集めたデモテープによる審査による人材発掘が行われている。このようなデモテープの収録は、音響条件の整ったスタジオ施設にて行えば音響効果の優れた録音を行うことができるが、スタジオ施設を気軽に利用できない一般の利用者にとっては、自宅などで録音しなくてはならず音響効果の整ったデモテープ作成は非常に困難である。
【０００４】
以上のような利用者の需要の中、特許文献１には、カラオケボックスや飲食店などなどにおいて利用者がカラオケ歌唱しているところを、ビデオカメラにて自動撮影し、撮影した映像と歌唱した音声を記録用テープに記録するカラオケビデオシステムが記載されている。
【０００５】
また、特許文献２には、カラオケ装置から伴奏音楽と歌唱音楽の音響信号を取得し、カラオケ装置から取得した録音可否情報に基づいて録音可能であることを確認した上で、ビデオカメラからの映像信号とカラオケ装置からの音響信号に基づいてＡＶファイルを一時記憶装置に書き込み、利用者からのＡＶダンプ要求にてダンプ要求があったＡＶファイルを一時記憶装置から可搬型記録媒体としてのＣＤ−Ｒに書き込むカラオケ録画装置が記載されている。
【０００６】
また、特許文献３には、ブロードバンド化された通信カラオケシステムを活用したカラオケ付加価値サービスとして、利用者の歌唱を録音した歌唱録音作品を事業者側にて管理する所定のコンピュータに送信し、コンピュータ側で受託した歌唱録音作品を適宜に活用するサービス（録音作品受託サービス）について記載されている。この録音作品受託サービスとしては、利用者から受託した録音作品を専門の審査員に転送して添削してもらうカラオケ通信教習方法があげられている。
【０００７】
このように、カラオケにおける歌唱の録音、録画は、カラオケボックスなど音響施設の整った環境を利用することで改善され、また、デモテープ作成においても同環境を利用することで音響効果の整ったものが作成可能となっている。
【特許文献１】特開平１１−３２７５７６号公報
【特許文献２】特開２００２−２４４６７５号公報
【特許文献３】特開２００５−２４１７４３号公報
【発明の開示】
【発明が解決しようとする課題】
【０００８】
近年の技術の進歩に伴い、動画像を鑑賞する楽しみ方は、従来のテレビのみならずパーソナルコンピュータや、携帯電話、ＰＤＡ、携帯型ＡＶプレーヤなどの携帯情報端末、あるいは、インターネットによる配信など多岐にわたるものとなっている。このような各種装置では、それが扱うことのできる動画フォーマットが制限されている場合が多く、携帯電話においては、携帯キャリア会社や携帯機種毎に再生できる動画フォーマットは多様化している。
【０００９】
また、最近ではインターネットを利用し、利用者から募った動画像をインターネットを介して広く公開する動画投稿サイトによるサービスが人気を集めている。これらの動画投稿サイトにおいても扱うフォーマットは、携帯電話やＤＶＤのものとは異なったものとなっている。
【００１０】
前述したように、歌唱する場で録音、録画を行うサービスを提供することで利用者の楽しみの幅を広げてきたカラオケではあるが、特許文献１では録画の対象となる記録媒体はビデオテープであり、また、特許文献２では記録媒体はＣＤ−Ｒであって、そのどちらにおいても１つの記録媒体にしか対応していない。また、特許文献３では、録音作品を審査員に転送して添削してもらうサービスのために、歌唱録音作品を所定のコンピュータに送信することを目的としている。このように、従来のカラオケ録音、録画を行う装置にあっては、多様な出力先が考慮されたものとはなっていない。
【課題を解決するための手段】
【００１１】
本発明は、従来の問題や不都合を解決するために提案されたもので、カラオケの録音、録画を行った際、記録媒体、携帯情報端末、インターネットによる動画投稿など多様な出力先に対応できるカラオケ録画装置を提案するものである。
【００１２】
そのため、請求項１に係るカラオケ録画装置は、合成用映像記憶手段と、制御手段と、録画ファイル記憶手段とを備え、カラオケ映像とカラオケ音声を出力するカラオケ演奏装置と、カメラ映像を出力するカメラが接続されるカラオケ録画装置であって、合成用映像記憶手段は、合成用映像を記憶し、制御手段は、録画処理と、変換処理と、出力処理を可能とし、録画処理は、カラオケ映像、合成用映像、カメラ映像の少なくとも１つと、カラオケ音声に基づいて、楽曲毎に所定フォーマットの録画ファイルを作成して録画ファイル記憶手段に記憶させ、変換処理は、録画処理での録画ファイル作成直後、出力先に対応した複数のフォーマットにて当該録画ファイルを変換して録画ファイル記憶手段に記憶させ、出力処理は、利用者に対して複数の出力先を提示して出力先の指定を受け付け、指定された出力先に対応したフォーマットの録画ファイルを出力することを特徴とするものである。
【００１３】
さらに、請求項２に係るカラオケ録画装置では、請求項１に記載のカラオケ録画装置において、出力先の１つは、記録媒体とすることを特徴とするものである。
【００１４】
さらに、請求項３に係るカラオケ録画装置では、請求項１または請求項２に記載のカラオケ録画装置において、出力先の１つは、携帯情報端末であり、変換処理は、携帯情報端末のキャリア会社または機種に応じたフォーマットへの変換を行うことを特徴とするものである。
【００１５】
さらに、請求項４に係るカラオケ録画装置では、請求項１乃至請求項３のいずれか１つに記載のカラオケ録画装置において、出力先の１つは、動画投稿サイトであり、変換処理は、動画投稿サイトに応じたファーマットへの変換を行ことを特徴とするものである。
【００１６】
さらに、請求項５に係るカラオケ録画装置では、請求項３に記載のカラオケ録画装置に
おける出力先を、複数種類の携帯情報端末とし、変換処理は、各携帯情報端末のキャリア会社または機種に応じたフォーマットへの変換を行うことを特徴とするものである。
【００１７】
さらに、請求項６に係るカラオケ録画装置では、請求項４に記載のカラオケ録画装置における出力先を、複数の動画投稿サイトとし、変換処理は、各動画投稿サイトに応じたフォーマットへの変換を行うことを特徴とするものである。
【発明の効果】
【００１８】
本発明によれば、録画処理にて所定フォーマットの録画ファイルを作成し、録画処理の直後に、当該録画ファイルを出力処理において選択肢となる出力先に応じたフォーマットへ変換するため、利用者が出力先を指定した出力処理を行うときには、対応するフォーマットの録画ファイルを即時に用意することができ、迅速な出力処理を行うことができる。
【００１９】
さらに、本発明では、出力先として記録媒体、携帯情報端末、動画投稿サイトといった出力先が選択可能であり、それぞれに応じたフォーマットの録画ファイルが用意されることとなる。
【００２０】
さらに、本発明では携帯情報端末のキャリア会社毎、あるいは、機種毎に対応したフォーマットの録画ファイルを作成することにより、携帯情報端末に対応したフォーマットの録画ファイルをダウンロードすることができる。さらには、録画装置側にて当該フォーマットの録画ファイルを予め作成してホスト装置へアップロードすることで、ホスト装置側でのフォーマット変換を行う必要が無く、ホスト装置側での処理を軽減することができる。
【００２１】
さらに、本発明では、本発明では動画投稿サイトに対応したフォーマットの録画ファイルを作成することにより、動画投稿サイトに対応したフォーマットの録画ファイルを当該サイトにアップロードすることができる。
【発明を実施するための最良の形態】
【００２２】
以下、本発明の実施形態を図面を参照しながら説明を行う。図１は、本発明の実施形態に係るカラオケシステムを示した図であり、特に、１店舗に複数のコマンダ、いわゆるカラオケ演奏装置を設置して営業を行うカラオケボックスとしての一実施形態を示した図である。
【００２３】
図１において、５０は通信網、６０はルータ、７０は無線アクセスポイント、１００はホスト装置、１０１、１０２は動画投稿サイト、１０３は携帯サイト、２００はリモコン装置、３００はコマンダ、４００は録画装置をそれぞれ示している。本実施形態において、カラオケ演奏装置としての各コマンダ３００はｒｏｏｍ１〜ｒｏｏｍ３毎に１台ずつ設置され、リモコン装置２００からリクエストされた楽曲の演奏を行う。
【００２４】
例えば、コマンダ１が設置されるｒｏｏｍ１には１台のリモコン装置１と、１台の録画装置１が配置される。コマンダ１は、リモコン装置１と対応付けられており、ＬＡＮを介してリモコン装置１からの楽曲リクエストを受け付けることができる。コマンダ２が設置されるｒｏｏｍ２は、ｒｏｏｍ１と同様の配置であって、コマンダ２、リモコン装置２、録画装置２が設置されている。また、コマンダ３が設置されたｒｏｏｍ３は２台のリモコン装置３−１、３−２が配置され、コマンダ３はリモコン装置３−１、３−２の両方に対応付けられており、どちらからも楽曲リクエストを受け付けることができる。なお、各コマンダ３００のフロントパネルなどに設けられた入力手段からも楽曲のリクエストを行うことができる。
【００２５】
各コマンダ３００は、ＬＡＮによってルータ６０と接続されており、インターネット回線などの通信網５０を介してホスト装置１００と通信接続される。このように通信接続されることで各コマンダ３００は、ホスト装置１００から楽曲配信や、プログラム配信を受けることができると共に、ホスト装置１００に対して利用履歴など各種の情報を送信することができる。
【００２６】
ホスト装置１００は、楽曲配信、プログラム配信や、各種情報を受信するといったコマンダ３００に対する遠隔管理を行うと共に、録画装置４００から受信した録画映像を保管し、利用者の携帯情報端末に配信する機能を有する。この他、受信した録画映像を、動画投稿サイト１０１、１０２や、携帯サイト１０３などに通信網５０を介して広く一般に公開する機能も備えている。
【００２７】
無線アクセスポイント７０は、各コマンダ３００が接続されるＬＡＮ上に接続されており、各リモコン装置２００と無線通信を行うことを可能としている。このように各リモコン装置２００がＬＡＮに接続されることで、コマンダ３００と同様、通信回線を介してホスト装置１００と通信を行うことができると共に、予め対応付けられているコマンダ３００に対して楽曲をリクエストすることができる。
【００２８】
ｒｏｏｍ１、ｒｏｏｍ２には、本願発明のカラオケ録画装置の実施形態である録画装置４００が設置される。録画装置４００はコマンダ３００、そして、ＬＡＮに接続される。このように接続することでコマンダ３００が出力する映像信号、音声信号を録画することができる。また、ＬＡＮに接続されることでコマンダ３００との各種制御信号の送受信、並びに、通信網５０を介したホスト装置１００、各種サーバ装置などとの通信を可能としている。
【００２９】
本実施形態では、ＬＡＮを介して複数のコマンダ３００が接続された、いわゆるカラオケボックスでの営業形態を説明したが、スナックなどのナイト店においては、例えば、ｒｏｏｍ１のようなコマンダ３００、録画装置４００、リモコン装置２００が設置された構成が採用され、場合によっては、ｒｏｏｍ３のように複数のリモコン装置２００を設置されることとなる。
【００３０】
次に、カラオケ演奏装置としてのコマンダ３００についてより詳しく説明する。図２はコマンダ３００及びそれに付属する各種周辺機器を示す図である。３０１はコマンダ制御手段、３０２はコマンダ通信手段、３０３はフロントパネル表示手段、３０４は表示制御手段、３０５はコマンダ記憶手段、３０６はコマンダ入力手段、３０７はコマンダインタフェース、３０８は音源、３０９はミキシング手段、５０１はアンプ、５０２はスピーカー、５０３はマイクロフォン、５０４はディスプレイをそれぞれ示している。
【００３１】
コマンダ制御手段３０１は、ＣＰＵ、ＲＯＭ、ＲＡＭなどを含んで構成され、コマンダ３００全体の制御を行う。コマンダ記憶手段３０５にはハードディスク、フラッシュメモリドライブなどの大容量記憶手段が用いられ、ホスト装置１００から受信した楽曲データ、映像データやカラオケ演奏以外の機能を実行させるプログラムなどのデータが記憶される。
【００３２】
コマンダ通信手段３０２は、周知規格の有線ＬＡＮが採用され、リモコン装置２００との間での各種制御命令の送受信や、楽曲データ、映像データ、各種プログラムをホスト装置１００から受信するために用いられる。また、同じＬＡＮ上に配置された録画装置４００など、その他の機器に接続することも可能であって、他の機器との間で情報の送受信が可能とされる。コマンダ入力手段３０６は、コマンダ３００のフロントパネルなどに設けられた各種スイッチ機能であり、予約選曲、キーコントロール、音量調整など各種機能を
手動設定が可能となっている。
【００３３】
表示制御手段３０４は、カラオケを行う際、背景映像と歌詞映像を合成したカラオケ映像や、その他各種映像をディスプレイ５０４に表示するための表示制御を行う。また、録画装置４００に対してカラオケ映像を外部出力する。本実施形態では、この外部出力としてのカラオケ映像として背景映像と歌詞映像が重畳されたものを用いることとしたが、この実施形態に限ることなく、例えば、適宜制御にてカラオケ映像の内容を、背景映像のみ、歌詞映像のみ、背景映像と歌詞映像を合成したものといったように録画装置４００に選択出力可能としてもよい。また、背景映像と歌詞映像を別々の外部出力として録画装置４００に提供してもよい。この場合、録画装置４００にて録画する映像が選択できるように構成される。
【００３４】
音源３０８は、ＭＩＤＩ、ＰＣＭ、ＭＰＥＧといった形式の楽曲データに基づいて楽音信号を形成する。ミキシング手段３０９は、音源３０８が形成した複数の楽音信号とマイクロフォン５０３、５０３’から入力される歌唱者の歌唱音声信号を適宜なバランスで混合する。このミキシング手段３０９で混合された音声信号はアンプ５０１に出力されてスピーカ５０２から放音出力されることとなる。また、本実施形態では、スピーカ５０１への出力以外に、別途アンプ５０１のＲＥＣＯＵＴ端子からカラオケ音声を取り出して録画装置４００において録音の対象としている。この実施形態に限ることなく、録画装置４００への出力をミキシング手段３０９から取り出し、適宜制御にて楽音のみ、または、楽音と歌唱音声がミキシングされたものに切り換え出力可能なようにしてもよい。または、録画装置４００に対して、楽音と歌唱音声を別々に提供し、録画装置側で録音の対象を選択できるように構成することでも構わない。
【００３５】
コマンダインタフェース３０７は、演奏の開始、終了に伴ったプレイ信号を出力する。このプレイ信号は、本来、コマンダが接続されるコインボックスを制御するための信号であり、コマンダが楽曲を演奏している最中は５Ｖの電圧を出力し、演奏していないときは０Ｖの電圧を出力する。接続されたコインボックスは、このプレイ信号を監視して課金制御を行うこととなるが、本実施形態では、このプレイ信号を利用して録画装置４００の録画開始、終了の制御が行われる。
【００３６】
以上、コマンダ３００の主要構成について説明したが、この他、従来のリモコン装置で使用されるＩＲ信号を送受信可能とするＩＲ通信手段を設け、ＩＲ信号を利用するリモコン装置からの楽曲リクエストにも対応できる構成としてもよい。
【００３７】
次に、カラオケ録画装置としての録画装置４００についてより詳しく説明する。図３は録画装置４００及びそれに付属する各種周辺機器を示す図である。４０１は制御手段、４０２は通信手段、４０３は表示制御手段、４０４は記憶手段、４０５はＤＶＤドライブ、４０６はＵＳＢインタフェース、４０７は取込手段、５０７は表示手段５０５、タッチ式センサ５０７にて構成されるタッチパネル、５０８はカメラをそれぞれ示している。
【００３８】
制御手段４０１は、ＣＰＵ、ＲＯＭ、ＲＡＭなどを含んで構成され、録画装置４００全体の制御を行う。記憶手段４０４にはハードディスク、フラッシュメモリドライブなどの大容量記憶手段が用いられ、各種制御プログラム、合成用映像、記録禁止楽曲の楽曲ＩＤを記載した禁止リスト等を記憶している。また、録画処理で得られた録画ファイルについてもこの記憶手段４０４に記憶される。
【００３９】
通信手段４０２は、周知規格の有線ＬＡＮなどが採用され、コマンダ３００と同様、通信網を介してホスト装置１００との各種情報の送受信を可能としている。また、対応付けられたコマンダ３００とも互いに通信可能であって、コマンダ３００で演奏している楽曲
情報や、コマンダ３００に予約されている楽曲を示す予約リストなど、コマンダ３００で管理している各種情報を取得することを可能としている。
【００４０】
表示制御手段４０３は、制御手段４０１からの制御に基づいて表示手段５０５に各種の表示を行う。本実施形態では、主として録画処理や出力処理の利用者に対する案内表示が行われる。
【００４１】
入力手段としてのタッチ式センサ５０６は、利用者の指やスタイラスなどでタッチすることによる入力操作が可能である。このタッチ式センサ５０６による入力を可能とするため、表示手段５０５にはタッチ式センサ５０６に対する制御と連動した表示画像が表示されるようにプログラムされる。このタッチ式センサ５０６と表示手段５０５により、いわゆるタッチパネル５０７が構成される。なお、本実施形態では、入力手段としてタッチ式センサ５０６を用いた構成を示したが、入力手段はこれに限定されるものではなく、例えば、キーボード、カーソルキーなどの機械的なものに代えてもよい。また、これらをタッチ式センサ２０６と併せて用いても構わない。
【００４２】
取込手段４０７は、コマンダ３００からの各種信号を受信するインタフェースであって、本実施形態では、コマンダ３００からカラオケ映像と、カラオケ音声を受信して録画装置４００に取り込む。また、コマンダ３００からプレイ信号を受信し、録画装置４００は、このプレイ信号を監視することで、楽曲の開始、終了が判断できるようになっている。このプレイ信号を利用することで、従来からのコマンダ３００が利用でき、新たなハードを追加することなく楽曲の開始、終了のタイミングが判断できる。このように、本実施形態では、楽曲の開始、終了のタイミング判断に、コマンダ３００からのプレイ信号を利用することとしたが、これに限定されるものではなく、録画装置４００はコマンダ３００とを接続するＬＡＮを介した制御信号に基づいて楽曲の開始、終了、更にはどの楽曲が演奏されるのかを判断するようにしてもよい。
【００４３】
ＵＳＢインタフェース４０６は、各種外部機器を複数接続可能とするインタフェースである。本実施形態では、このＵＳＢインタフェース４０６を介して動画撮影可能なカメラ５０８が接続される。カメラ５０８以外にも携帯型ＡＶプレーヤや、携帯型ゲーム装置など、それ自体で映像、音声を再生可能な携帯情報端末を接続できる。
【００４４】
ＤＶＤドライブ４０５は、録画されたファイルを記録媒体としてのＤＶＤに書き込むために用いられる書込手段である。本実施形態では、ＤＶＤの所定記録領域に識別子を入れた専用ＤＶＤのみ扱うことを可能としている。利用者は、ＤＶＤに録画する際は、店舗にて予め専用ＤＶＤを購入し、ＤＶＤドライブ４０５にセットして録画ファイルを書き込ませる。また、識別子を複数種類設とし、この識別子の種類毎に録画ファイルの書き込み数、録画ファイルの種類などを制限してもよい。
【００４５】
なお、本実施形態では、録画装置４００は、カラオケ演奏装置としてのコマンダ３００と別体構成としたが、これらを一体構成することで、カラオケ録画装置をカラオケ演奏装置の一機能として実現しても構わない。その際、録画装置４００における各種構成はコマンダ３００と兼用されることとなる。例えば、録画装置４００における制御手段４０１、通信手段４０２、記憶手段４０４などは、コマンダ３００におけるコマンダ制御手段３０１、コマンダ通信手段３０２、コマンダ記憶手段３０５などと兼用される。また、録画装置４００における表示手段５０５、タッチ式センサ５０６といった入力インタフェースは、リモコン装置２００から行えるよう構成してもよい。
【００４６】
以上、本発明が利用するカラオケシステム、コマンダ、録画装置の構成について説明を行ったが、次に、本発明において特徴となる録画装置での各種処理について詳しく説明を
行う。図４、図５は、本実施形態における録画装置において利用可能とする各種録画モードを説明する図である。図４は、録画装置の利用開始時に利用者に対しタッチパネル５０７により提示する録画モード選択画面であり、図５は、本実施形態における各録画モードにおいて、録音、録画の対象内容を示した図である。
【００４７】
図４に示すように、本実施形態においては、自分撮、カラオケ撮、芸能コンテンツの３つの録画モードが選択可能となっている。録画装置の利用開始時には、タッチパネル５０７上にこの画面を利用者に提示して各モードの指定を受け付ける。各録画モードの録音、録画内容は、本実施形態においては、図５（Ａ）に示したものとなる。
【００４８】
まず、自分撮モードにおいては、カメラ映像を録画の対象とし、カラオケ音声を録音の対象とする。このような録音、録画の内容によれば、カメラにて撮影した歌唱者の動画と楽音に伴った歌唱者の歌声を記録することができる。
【００４９】
次に、カラオケ撮モードにおいては、カラオケ映像を録画の対象とし、カラオケ音声を録音の対象とする。このような録音、録画によれば、通常、カラオケにおいて利用する楽音と歌詞映像と背景映像で構成されたカラオケ映像を記録することができ、これを持ち帰った利用者は自宅などで歌唱の練習を行うことができる。図２、図３で説明した実施形態では、利用者が歌唱を行った場合、歌唱音声がカラオケ音声に含まれてしまい歌唱の練習においては不都合となってしまうが、後に説明するようにカラオケ音声を楽音と歌唱音声で分けておくことで楽音のみを記録する形態も可能である。
【００５０】
次に、芸能コンテンツにおいては、カメラ映像と合成用映像を録画の対象とし、カラオケ音声を録音の対象とする。カメラ映像と合成用映像は合成された上で録画されることとなるが、合成用映像を背景にカメラ映像を前景として合成してもよいし、カメラ映像を背景に合成用映像を前景として合成してもよい。どちらの場合においても前景となる映像に対しては、例えば、ブルーバックを利用したクロマキー処理などで合成する部分を切り抜く処理が必要となる。このような芸能コンテンツでは、合成用映像として、歌手やお笑い芸人などといった芸能人を用意することで、利用者は芸能人と一緒に撮影された映像を楽しむことが可能となる。特に、歌手を合成用映像とする場合には映像とカラオケ楽曲を対応付けておくことで、カラオケ楽曲にマッチした合成用映像を付与することができる。対応付けは、歌手対応であってもよいし、楽曲対応としてもよい。
【００５１】
以上、図２のコマンダ、図３の録画装置において、カラオケ映像、カラオケ音声それぞれ１出力とした場合について説明したが、カラオケ映像、カラオケ音声の内容を図５（Ｂ）に示すように細分化しても構わない。この実施形態は、図２、図３において補足説明をしたようにコマンダ３００からの映像、音声出力、あるいは、録画装置４００における映像、音声入力を適宜制御することで実現可能となる。
【００５２】
図５（Ｂ）に示すようにカラオケ映像は、背景映像と歌詞映像に分けられ、カラオケ音声は楽音と歌唱音声に分けられる。このように構成することで、映像については、各モードにおいて歌詞映像を付与するか、しないかの設定を行うことが可能となると共に、音声については、特に、カラオケ撮モードにおいて歌唱音声を含めるか否かの設定が可能となる。これらの設定はあらかじめ決められたものとしてもよいし、図４の録画モード選択などにおいて利用者が設定できるようにしてもよい。
【００５３】
次に本発明の実施形態となる録画処理、変換処理について図６、図７を用いて詳しく説明を行う。図６は、本発明の実施形態である自分撮モードにおける録画待機中画面を示した図であり、図７は、１楽曲を録画する際の録画装置とコマンダの処理を示した図である。
【００５４】
図６は、録画装置４００の利用開始後、図４において自分撮モードを選択した場合の録画待機中画面を示した図である。画面中央にはカメラ５０８で撮影しているカメラ映像が動画像としてリアルタイムに表示され、利用者はこの映像により画角を確認することができ、画角内で所望の位置に収まるように自分の位置を決める。
【００５５】
また、画面下方には「試聴」、「投稿」、「携帯にダウンロード」、「ＤＶＤを作る」、「終了」といった各種ボタンが配置され、これらを利用者が操作することでボタンに応じた処理がなされる。録画ファイルが作成された後「試聴」ボタンにタッチすると、それまでに録画したカラオケ楽曲の一覧が表示され、選択された録画ファイルの試聴を同画面で行うことができる。また、録画ファイルが作成された後、「投稿」、「携帯にダウンロード」、「ＤＶＤを作る」といった各ボタンにタッチすることで、それぞれに応じた出力処理を開始する。この出力処理については後述する。
【００５６】
図６の画面でカメラの画角に収まるように自分の位置を決めた後、コマンダ３００側でカラオケ楽曲の再生が開始されると、図７に示すコマンダ３００と録画装置４００間の処理にて１楽曲の録画が行われる。まず、コマンダ３００側にてカラオケ楽曲の演奏が開始されるとプレイ信号が０Ｖから５Ｖに立ち上がる。これを検知した録画装置４００側は、演奏される楽曲情報をコマンダ３００に通信手段４０２を介して要求する。この要求に応えコマンダ３００は、録画装置４００に楽曲情報をコマンダ通信手段３０２を介して返信する。この楽曲情報は、録画したファイルのインデックスとして一緒に記録されると共に、録画禁止楽曲か否かの判断にも用いられる情報であり、楽曲ＩＤ、曲名、歌手名などを含んで構成されている。
【００５７】
楽曲情報を受信した録画装置４００は、記憶手段４０４に記憶している禁止リストを参照して録音、録画が禁止されている楽曲か否かを判断する。この禁止リストは録画装置４００の記憶手段４０４に記憶されているものであり、録音、禁止されている楽曲ＩＤを記述したものである。また、禁止リストは通信手段４０２により更新することが可能であって、著作権などの契約内容の変更にともなって、ホスト装置１００側から変更することができる。
【００５８】
禁止楽曲であると判断された場合には、当該楽曲の録音、録画を禁止すると共に、その旨を表示手段５０５に表示する。このように表示することで利用者は、当該楽曲が録音、録画できない楽曲であることを認知できる。一方、禁止楽曲でない場合には、録画モードに応じた内容にて録音、録画を開始する。このように、コマンダ３００側でカラオケ楽曲の再生が開始されてから、録画装置４００にて録画開始されるまでいくつかの処理が行われるが、これらの処理はごく短時間で終了するため、録画開始遅延による録画ファイルの頭切れの心配はない。カラオケ楽曲の再生が完了すると、プレイ信号は５Ｖから０Ｖとなり、このプレイ信号の変化を検知した録画装置４００は録画を停止する。
【００５９】
以上、説明した処理により１楽曲単位での録画処理について説明したが、次に、図８を用いて、本実施形態における録画装置の録画開始から出力するまでの一連の処理を説明する。
【００６０】
図８は、録画処理、変換処理、出力処理の一連の流れとなるタイムチャートを示した図であり、上からプレイ信号、録画処理、変換処理、利用者の操作を時系列で示している。プレイ信号は、コマンダ３００におけるカラオケ楽曲の演奏状況に対応するものであって、信号の立ち上がっている部分（５Ｖ）は、カラオケ楽曲が演奏されていることを、信号が立ち下がる部分（０Ｖ）は、カラオケ楽曲の曲間を示したものとなっている。
【００６１】
図８では、利用者が録画装置４００を利用開始して、１０曲のカラオケ楽曲を演奏した後、出力処理を行うこととしているが、この例に限らず、出力処理は１曲以上の録画処理が完了した後は、いつでも実行することが可能である。まず、利用者の操作により録画装置４００の利用が開始されると、図４に示した録画モード選択画面においてどの録画モードで録画を行うかが利用者に問われる。図８では、利用開始時に自分撮が指定された状況を示している。なお、本実施形態においては、録画モードは、利用者による変更が行われるまでは、次のカラオケ楽曲となっても維持されるように構成されている。また、利用者による録画モードの変更は、タッチパネル５０７からいつでも受け付けできるように構成されており、受け付けた録画モードの変更は次のカラオケ楽曲から反映されることとなる。このような構成により、利用者はいつでも録画モードの変更が可能となると共に、演奏途中で録画モードが変更されて録画されることがないため違和感のない録画が可能となる。
【００６２】
このように、録画モードとして自分撮が指定された上で、コマンダ３００による１曲目のカラオケ楽曲Ａの演奏が開始されると、図７にて説明した処理に従って録画処理が開始され、楽曲Ａに対応する録画ファイルＡが適宜フォーマットにて作成されて記憶手段４０４に記憶される。録画ファイルの作成はハードウェア、ソフトウェアのどちらで行っても構わない。本実施形態では、この録画ファイルＡのフォーマットをＭＰＥＧ２形式とし、後の出力処理において、ＤＶＤへの出力にそのまま利用できるものとなっている。この形態に限ることなく、録画処理での録画ファイル作成フォーマットは必要に応じて適宜変更可能である。また、作成した録画ファイルには、コマンダ３００から取得した各種楽曲情報、録画モードを示す情報、録画日時などがインデックスとして付与される。
【００６３】
１曲目のカラオケ楽曲Ａの演奏が終了すると共に、同楽曲の録画処理が終了して録画ファイルＡが完成すると、その直後、録画ファイルＡに対する変換処理が開始される。この処理は、後の出力処理において指定可能となる出力先に対応した各種フォーマットへの変換であり、本実施例では、各種携帯電話や、各種投稿サイトに適したフォーマットに順次変換されて記憶手段４０４に格納される。本実施形態においてはａ〜ｆの添字が付された６種類のファイルに変換され、楽曲Ａについては録画ファイルＡａ〜Ａｆに順次変換される。添字ａ〜ｄは携帯電話用の動画フォーマットであることを示し、各携帯キャリア会社、あるいは、携帯電話の機種で使用される動画フォーマットとなる。また、添字ｅ、ｆは投稿サイト用に変換された動画フォーマットとなる。
【００６４】
以上の１曲目のカラオケ楽曲Ａに対する録画処理、変換処理にて、出力先としてＤＶＤ、各種携帯電話、各種投稿サイト用の動画ファイルＡ、Ａａ〜Ａｆが記憶手段４０４に格納される。このように、録画処理の直後に変換処理を行うこため、後の出力処理やホスト装置１００側にて更なる変換を行う必要はなく、出力先に応じたフォーマットの動画ファイルを選択出力するのみでよい。なお、出力先としては、これらに限られるものではなく、例えば、録画装置４００のＵＳＢインタフェース４０６を介して接続される携帯型ＡＶ再生器などの各種外部機器を設けてもよい。
【００６５】
２曲目のカラオケ楽曲Ｂは禁止楽曲であるため、図７に示した処理にしたがって録画処理は禁止される。３曲目のカラオケ楽曲Ｃは、１曲目に引き続き自分撮モードにて録画処理が行われることとなるが、図に示すように楽曲Ｃの演奏中に利用者操作によるカラオケ撮モードへの変更があったとしても、カラオケ楽曲Ｃについては演奏が終了するまで自分撮モードが維持される。カラオケ撮モードへの変更は次曲のカラオケ楽曲Ｄから反映される。このように構成することで、利用者はいつでも録画モードを変更することができると共に、楽曲単位で録画モードが変更されるため違和感のない録画ファイル作成が可能となる。４曲目のカラオケ楽曲Ｄは、３曲目途中で変更された録画モードの変更が反映され、カラオケ撮モードに変更されて録画処理が実行される。
【００６６】
１０曲目のカラオケ楽曲Ｊの演奏終了後、図６の画面下方に表示される「投稿」、「携帯にダウンロード」、「ＤＶＤを作る」といったボタンを操作することで出力先が選択されると、各出力先に応じた出力処理が開始される。本実施形態においてこの出力処理は、楽曲演奏終了後としているが、録画処理において少なくとも１つ録画ファイル作成されている状態であるならばそのタイミングを問うものではなく、録画処理、変換処理などと並行して実行しても構わない。
【００６７】
出力処理の詳細については後ほど説明を行うこととするが、ＤＶＤを作る場合には記録媒体としてのＤＶＤへの書き込み処理を、投稿サイトへの投稿や携帯情報端末へのダウンロードを行う場合には、各種ホスト装置への送信を行いその処理が完了する。
【００６８】
出力処理のための操作を終えた利用者は、終了操作を行い録画装置４００の利用を終了させる。この時点で、変換処理、出力処理が完了している場合には、記憶手段４０４に記憶した各種録画ファイルを消去し、完了していない場合には、処理を完了してから記憶手段４０４に記憶した各種録画ファイルを消去する。
【００６９】
以上、録画装置４００における録画処理、変換処理、出力処理の一連の流れについて説明を行ったが、本実施形態では、録画処理にて作成した録画ファイルを出力処理での出力先に応じたフォーマットの録画ファイルに予め変換しておくことにより、出力処理では利用者が選択した出力先に応じた録画ファイルを即時に提供することが可能となる。
【００７０】
では、次に、出力処理について図９−図１８を用いて説明を行う。図９は出力処理のフローを示した図であり、図１０−図１８は出力処理における各種画面を示した図である。図６の画面下方に表示される「投稿」、「携帯にダウンロード」、「ＤＶＤを作る」といったボタンを操作することで出力先が選択されると、それぞれに応じた出力処理を開始し、「投稿」が選択された場合にはＳ１０１にて破線で囲まれる処理Ａに移行し、「携帯にダウンロード」が選択された場合にはＳ１１２にて破線で囲まれる処理Ｂに移行し、「ＤＶＤを作る」が選択された場合にはＳ１１９にて破線で囲まれる処理Ｃに移行する。これらの処理はフローからも分かるように複数回実行することが可能であり、例えば、「ＤＶＤを作る」処理を行った後「携帯にダウンロード」する処理を行うことや、複数枚ＤＶＤを作ること等が可能となっている。
【００７１】
Ｓ１１９にて「ＤＶＤを作る」が選択された場合には、Ｓ１２０にて利用者によりＤＶＤがセットされるのを待つ。このＤＶＤは録画装置４００に専用のものであって、予めＤＶＤ製造業者のみが書き込み可能な領域に識別子が書き込まれている。利用者は、この専用のＤＶＤを店舗にて予め購入し、ＤＶＤドライブ４０５にセットする。録画装置４００では、識別子に基づいて専用のＤＶＤか否かを判断し、専用のものであれば次の処理に進み、専用のものでなければＤＶＤを排出すると共に、利用者に対して使用できない旨を表示する。
【００７２】
ＤＶＤがセットされた録画装置４００は、図１０に示す動画選択画面にて、利用者からＤＶＤに記録する録画映像の選択を受け付ける（Ｓ１２１）。図１０には、録画された５つの録画映像を示しており、それぞれについて、曲名、歌手名、録画日時、録画モードが表示されている。画面右に表示されている「自」、「カ」、「芸」は、それぞれ、自分撮、カラオケ撮、芸能コンテンツといった録画モードにて録画されたことを示している。また、この画面において各録画映像にタッチすることで対応する録画映像を試聴、あるいは、プレビューすることが可能となっている。
【００７３】
Ｓ１２２では、利用者により図１０の画面にて記録する録画映像が選択される。画面左
に示される丸印は、記録のために選択された録画映像であることを示したものである。図１０では１、３、５番目の録画映像が選択された状態を示している。選択後、画面下方に表示される「ＯＫ」ボタンがタッチされると、選択された録画映像に対応する録画ファイルについて、次のＳ１２３にてＤＶＤへの書き込みが開始される。
【００７４】
Ｓ１２３では、Ｓ１２２で選択された録画映像に対応する録画ファイルについて、ＤＶＤに対応したフォーマットにて書き込みが行われる。図８で説明したように本実施形態では、録画処理にて作成した添字なしのものがＤＶＤ用フォーマットの録画ファイルとして既に作成されているため、Ｓ１２２で選択された録画映像について、このフォーマットの録画ファイルを記録手段４０４から読み出して書き込みを行う。書き込みが終了するとＤＶＤを排出すると共に、表示手段５０５にＤＶＤへの出力が完了したことを表示する。
【００７５】
次に、Ｓ１１２にて「携帯にダウンロード」が選択された場合には、Ｓ１１３、Ｓ１１４にて携帯にダウンロードする録画映像の選択を受け付ける。ここでの処理は、ＤＶＤ作成と同様、図１０に示す動画選択画面により行われる。Ｓ１１４にて選択が行われると、ダウンロードを行う際、必要となるメールアドレスの入力処理に移行する（Ｓ１１５）。図１１、図１２は、このメールアドレス入力画面を示した図であり、図１１はドメイン選択を、図１２ではドメイン以外の入力を行う画面となっている。図１１では、各携帯キャリア会社のドメイン名が表示され、利用者はこの中の１つを選択して、図１２のメールアドレス入力画面に進む。図１１にて選択したドメイン名が入力されており、利用者はドメイン名以外の部分を表示されているソフトキーボードを利用して入力する。入力が完了すると図１３の画面にて、メールアドレス、携帯情報端末にダウンロードする録画映像を確認させる。入力情報に間違いなければ、利用者は「ＯＫ」ボタンにタッチして入力を確定する。
【００７６】
Ｓ１１７では、確定した情報に基づいて、録画ファイルをホスト装置１００にアップロードする。フォーマットが携帯キャリア会社に対応している場合には、図１１で示す画面にて携帯キャリア会社に対応するドメイン名が指定されているため、当該携帯キャリア会社に対応したフォーマットの録画ファイルのみをアップロードすればよい。しかしながら、フォーマットが携帯機種に依存している場合や、アップロード後、携帯サイトにて公開して他の携帯へのダウンロードを行うサービスを考えると、携帯用として作成した全てのフォーマットの録画ファイルをアップロードすることが望ましい。また、ＤＶＤ用、投稿サイト用フォーマットの録画ファイルについても一緒にアップロードしておき、通信網を利用した各種サービスに対応できるようにしてもよい。
【００７７】
録画ファイルのアップロードが完了した録画装置４００は、図１４に示す画面にて受付完了の表示を行い出力処理を完了する。画面にはホスト装置にて割り振られた受付番号が記載されており、ダウンロードなどに支障があった場合、利用者はこの受付番号にて問い合わせを行うことができる。以上、録画装置４００側での、携帯情報端末への出力処理について説明したが、携帯にダウンロードさせる処理については後で説明を行う。
【００７８】
次に、Ｓ１０１にて「投稿」が選択された場合には、まず、Ｓ１０２にて利用者は複数の動画投稿サイトの中から投稿するサイトを選択する。Ｓ１０３、Ｓ１０４では投稿するドする録画映像の選択を受け付ける。ここでの処理は、ＤＶＤ作成、携帯ダウンロードと同様、図１０に示す動画選択画面により行われる。Ｓ１０４にて選択が行われると、動画投稿を行うにあたって、必要となる各種情報の入力処理に移行する。入力される各種情報としては、動画投稿サイトに参加するためのメールアドレスなどの各種情報や、ニックネーム、生年月など投稿した人のプロフィールや、イベント参加のための情報などがある。入力が完了すると図１７の画面にて、メールアドレスを含む各種情報や、動画投稿サイトに投稿する録画映像を確認させる。入力情報に間違いなければ、利用者は「ＯＫ」ボタン
にタッチして入力を確定する。
【００７９】
Ｓ１１０では、確定した情報に基づいて、録画ファイルを指定された動画投稿サイトにアップロードし、完了すると図１８に示す受付が完了した旨が表示される。Ｓ１０２で指定した動画投稿サイトに対応するフォーマットの録画ファイルがアップロードされることになる。アップロードされた録画ファイルは、インターネットなどの通信網を介して広く一般に公開される。この動画投稿サイトへの投稿においても、ＤＶＤ用、携帯用、他の動画投稿サイト用のフォーマットでの録画ファイルを、同時にホスト装置１００に送信しておき、通信網を介した後の各種サービスに対応できるようにしておくとよい。
【００８０】
以上、録画装置４００側での出力処理について説明したが、ホスト装置１００にアップロードされた録画ファイルを携帯情報端末としての携帯電話６００にダウンロードする処理について図１９を用いて説明する。
【００８１】
図１９は、ホスト装置１００から携帯電話６００へダウンロードする処理を示したものである。図９の処理Ｂとして説明したホスト装置１００への送信が完了すると、当該ホスト装置１００からＳ１１５にて入力されたメールアドレスに対して、録画ファイルの所在を知らせる、あるいは、録画ファイルの所在にリンクしたメールが通知される。このメールに基づいて、利用者は携帯電話６００から配信要求を送信する。この配信要求では、アップロードした録画映像が複数ある場合には、その中から選択して配信を要求するようにしてもよい。
【００８２】
配信要求を受けたホスト装置１００は、携帯会社の課金システムに通知して課金の了解を取った後、配信要求された録画ファイルを当該携帯電話６００に対して送信する。本実施形態では、当該録画ファイルのフォーマットは、図１１にて指定したドメイン名に対応する携帯キャリア会社に対応したものとしているが、録画フォーマットが携帯機種毎に対応する場合には、携帯電話６００からの配信要求において携帯機種を通知し、当該携帯機種に応じたフォーマットのものをダウンロードすればよい。このような処理にて、利用者は、録画装置４００からホスト装置１００に予め送信した録画ファイルを取得し、携帯電話６００上で再生したり、着信音に登録して楽しむことができる。
【００８３】
以上、本発明の種々の実施形態について説明したが、本発明はこれらの実施形態のみに限られるものではなく、それぞれの実施形態の構成を適宜組み合わせて構成した実施形態も本発明の範疇となるものである。
【図面の簡単な説明】
【００８４】
【図１】本発明の実施形態に係るカラオケシステムを示した図。
【図２】本発明の実施形態に係るコマンダを示した図。
【図３】本発明の実施形態に係る録画装置を示した図。
【図４】本発明の実施形態に係る録画モード選択画面を示した図。
【図５】本発明の実施形態に係る各録画モードでの利用する映像、音声を示した図。
【図６】本発明の実施形態に係る待機中（自分撮モード）画面を示した図。
【図７】本発明の実施形態に係る録画処理における録画装置、コマンダの処理を示した図。
【図８】本発明の実施形態に係る録画、変換、出力処理のタイムチャートを示した図。
【図９】本発明の実施形態に係る出力処理のフローを示した図。
【図１０】本発明の実施形態に係る動画選択画面を示した図。
【図１１】本発明の実施形態に係るドメイン選択画面を示した図。
【図１２】本発明の実施形態に係るメールアドレス入力画面を示した図。
【図１３】本発明の実施形態に係る携帯ダウンロード入力情報確認画面を示した図。
【図１４】本発明の実施形態に係る携帯ダウンロード受付完了画面を示した図。
【図１５】本発明の実施形態に係る生年月入力画面を示した図。
【図１６】本発明の実施形態に係るイベント選択画面を示した図。
【図１７】本発明の実施形態に係る投稿入力情報確認画面を示した図。
【図１８】本発明の実施形態に係る投稿受付完了画面を示した図。
【図１９】本発明の実施形態に係る携帯ダウンロード処理を示した図。
【符号の説明】
【００８５】
５０…通信網、６０…ルータ、７０…無線アクセスポイント、１００…ホスト装置、１０１…動画投稿サイト、１０２…携帯サイト、２００…リモコン装置、３００…コマンダ（カラオケ演奏装置）、３０１…コマンダ制御手段、３０２…コマンダ通信手段、３０３…フロントパネル表示手段、３０４…表示制御手段、３０５…コマンダ記憶手段、３０６…コマンダ入力手段、３０７…コマンダインタフェース、３０８…音源、３０９…ミキシング手段、４００…録画装置、４０１…制御手段、４０２…通信手段、４０３…表示制御手段、４０４…記憶手段、４０５…ＤＶＤドライブ、４０６…ＵＳＢインタフェース、４０７…取込手段、５０１…アンプ、５０２…スピーカ、５０３…マイクロフォン、５０４…ディスプレイ、５０５…表示手段、５０６…タッチ式センサ、５０７…タッチパネル、５０８…カメラ
【図１】
2010002729.tif 000003
【図２】
2010002729.tif 000004
【図３】
2010002729.tif 000005
【図４】
2010002729.tif 000006
【図５】
2010002729.tif 000007
【図６】
2010002729.tif 000008
【図７】
2010002729.tif 000009
【図８】
2010002729.tif 000010
【図９】
2010002729.tif 000011
【図１０】
2010002729.tif 000012
【図１１】
2010002729.tif 000013
【図１２】
2010002729.tif 000014
【図１３】
2010002729.tif 000015
【図１４】
2010002729.tif 000016
【図１５】
2010002729.tif 000017
【図１６】
2010002729.tif 000018
【図１７】
2010002729.tif 000019
【図１８】
2010002729.tif 000020
【図１９】
2010002729.tif 000021